(57)【特許請求の範囲】
【請求項１】
互いに平行な一対の辺を有する金属プレートを該一対の辺と平行な直線に沿って複数箇所で折り曲げるとともに該一対の辺同士を接合させることにより断面が四角形の一辺が形成されるパイプ体を製造するパイプ体の製造方法であって、
前記接合部が形成される辺と隣接する辺に対応する面に内側に向かって凸となるように凸部を設け、該凸部に生じるスプリングバック力によって前記一対の辺同士を密着させることを特徴とするパイプ体の製造方法。
【請求項２】
請求項１に記載のパイプ体の製造方法において、前記凸部を前記接合部が形成される辺と対向する辺に対応する面の近くに設けることを特徴とするパイプ体の製造方法。
【請求項３】
互いに平行な一対の辺を有する金属プレートを該一対の辺と平行な直線に沿って複数箇所で折り曲げるとともに該一対の辺同士を接合させることにより断面が四角形の一辺が形成されるパイプ体を製造するパイプ体の製造方法であって、
前記接合部が形成される辺と対向する辺に対応する面に内側に向かって凸となるように凸部を設け、該凸部に生じるスプリングバック力によって前記一対の辺同士を密着させることを特徴とするパイプ体の製造方法。
【請求項４】
互いに平行な一対の辺を有する金属プレートを該一対の辺と平行な直線に沿って複数箇所で折り曲げるとともに該一対の辺同士を接合させることにより断面が三角、五角形、六角形、八角形のうちのいずれかの角形の一辺が形成されるパイプ体を製造するパイプ体の製造方法であって、
前記接合部が形成される辺以外のいずれかの辺に対応する面に内側に向かって凸となるように凸部を設け、該凸部に生じるスプリングバック力によって前記一対の辺同士を密着させることを特徴とするパイプ体の製造方法。
【請求項５】
請求項１乃至請求項４のいずれか１項に記載のパイプ体の製造方法において、
前記金属プレートを前記直線に沿って前記多角形の各頂点の角度に合わせて折り曲げるとともに、前記接合部が形成される辺以外のいずれかの辺に対応する面を前記多角形の内側に向かって凸となるように湾曲させて中間成形品を成形し、
該中間成形品の湾曲した面以外の面であって前記接合部が形成される辺以外の辺に対応する面に外力を加えることにより、前記湾曲した面の湾曲を取り除きつつ前記一対の辺同士を接合させるとともに前記凸部を形成することを特徴とするパイプ体の製造方法。
【請求項６】
請求項５に記載のパイプ体の製造方法において、
前記金属プレートを前記多角形のいくつかの頂点の角度に合わせて折り曲げ断面凹状とし、前記金属プレートを加圧する内部加圧パンチ部材をその凹状の内部に進入させ、該内部加圧パンチ部材により前記湾曲した面を形成するとともに前記金属プレートを前記多角形の残余の頂点の角度に合わせて折り曲げ、前記一対の辺同士の間を通して前記内部加圧パンチ部材を引き抜くことにより前記中間成形品を成形することを特徴とするパイプ体の製造方法。
【請求項７】
互いに平行な一対の辺を有する金属プレートを該一対の辺と平行な直線に沿って複数箇所で折り曲げるとともに該一対の辺同士を接合させることにより、断面が四角形の一辺が形成されるパイプ体を製造するパイプ体の製造装置であって、
前記接合部が形成される辺と隣接する辺に対応する面に該多角形の内側に向かって凸となるように凸部を形成する凸部形成手段を備え、前記凸部に生じるスプリングバック力によって前記一対の辺同士を密着させることを特徴とするパイプ体の製造装置。
【請求項８】
請求項７に記載のパイプ体の製造装置において、前記凸部形成手段は前記凸部を前記接合部が形成される辺と対向する辺に対応する面の近くに形成することを特徴とするパイプ体の製造装置。
【請求項９】
互いに平行な一対の辺を有する金属プレートを該一対の辺と平行な直線に沿って複数箇所で折り曲げるとともに該一対の辺同士を接合させることにより、断面が四角形の一辺が形成されるパイプ体を製造するパイプ体の製造装置であって、
前記接合部が形成される辺と対向する辺に対応する面に該多角形の内側に向かって凸となるように凸部を形成する凸部形成手段を備え、前記凸部に生じるスプリングバック力によって前記一対の辺同士を密着させることを特徴とするパイプ体の製造装置。
【請求項１０】
互いに平行な一対の辺を有する金属プレートを該一対の辺と平行な直線に沿って複数箇所で折り曲げるとともに該一対の辺同士を接合させることにより断面が三角形、五角形、六角形、八角形のうちのいずれかの角形の一辺が形成されるパイプ体を製造するパイプ体の製造装置であって、
前記接合部が形成される辺以外のいずれかの辺に対応する面に内側に向かって凸となるように凸部を設ける凸部形成手段を備え、該凸部に生じるスプリングバック力によって前記一対の辺同士を密着させることを特徴とするパイプ体の製造装置。
【請求項１１】
請求項７乃至請求項１０のいずれか１項に記載のパイプ体の製造装置において、
前記金属プレートを前記直線に沿って前記多角形の各頂点の角度に合わせて折り曲げるとともに前記接合部が形成される辺以外のいずれかの辺に対応する面を前記多角形の内側に向かって凸となるように湾曲させてなる中間成形品がセットされる加工装置本体と、該加工装置本体にセットされた前記中間成形品の湾曲した面以外の面であって前記接合部が形成される辺以外の辺に対応する面に外力を加えるパンチ部材とを備え、前記凸部形成手段は前記パンチ部材に設けられ、該パンチ部材は前記湾曲した面の湾曲を取り除きつつ前記一対の辺同士を接合させるとともに、前記凸部形成手段により前記外力を加える面に前記凸部を形成することを特徴とするパイプ体の製造装置。
【請求項１２】
互いに平行な一対の辺を有する金属プレートを該一対の辺と平行な直線に沿って複数箇所で折り曲げるとともに、該一対の辺同士を接合させることにより製造された断面が四角形の一辺が形成されたパイプ体であって、
前記接合部が形成される辺と隣接する辺に対応する面に内側に向かって凸となるように凸部が設けられ、該凸部に生じるスプリングバック力によって前記一対の辺同士が密着していることを特徴とするパイプ体。
【請求項１３】
請求項１２に記載のパイプ体であって、前記凸部が前記接合部が形成された辺と対向する辺に対応する面の近くに設けられていることを特徴とするパイプ体。
【請求項１４】
互いに平行な一対の辺を有する金属プレートを該一対の辺と平行な直線に沿って複数箇所で折り曲げるとともに、該一対の辺同士を接合させることにより製造された断面が四角形の一辺が形成されたパイプ体であって、
前記接合部が形成される辺と対向する辺に対応する面に内側に向かって凸となるように凸部が設けられ、該凸部に生じるスプリングバック力によって前記一対の辺同士が密着していることを特徴とするパイプ体。
【請求項１５】
互いに平行な一対の辺を有する金属プレートを該一対の辺と平行な直線に沿って複数箇所で折り曲げるとともに該一対の辺同士を接合させることにより断面が三角、五角形、六角形、八角形のうちのいずれかの角形の一辺が形成されたパイプ体であって、
前記接合部が形成される辺以外のいずれかの辺に対応する面に内側に向かって凸となるように凸部を設けられ、該凸部に生じるスプリングバック力によって前記一対の辺同士が密着していることを特徴とするパイプ体。
【請求項１６】
請求項１２ないし請求項１５のいずれか１項に記載のパイプ体を有する画像形成装置。
【発明の詳細な説明】
【０００１】
【発明の属する技術分野】
本発明は、金属プレートを曲げ加工することによって断面が多角形状のパイプ体を製造するパイプ体の製造方法、製造装置、製造されたパイプ体及びこのパイプ体を用いた画像形成装置に関する。
【０００２】
【従来の技術】
従来から、断面が多角形状のパイプ体を製造する技術として、特公平７−３４９３６号公報、特開平１１−２９０９４０号公報に記載のものが知られている。
【０００３】
その特公平７−３４９３６号公報においては、金属プレートをロール成形して角パイプ状とした後に、金属プレートの合わせ目（すなわち、金属プレートの幅方向両端縁をなす一対の辺同士）を溶接してパイプ体を製造している。
【０００４】
また、特開平１１−２９０９４０号公報においては、矩形状の金属プレートを素材として、プレス加工（曲げ加工）により断面が長方形状のパイプ体を製造している。この製造方法は、金属プレートの幅方向両端部（一対の辺部）を長さ方向に沿って折り曲げ略直角に起立させることにより一次成形品を成形する第１曲げ工程と（図４参照）、その一次成形品の未折曲げ部（図４における符号９）の中央部分を上方に凸となるように湾曲させ、かつ、この中央部分に対して両側部分を略直角に折り曲げ起立させることにより二次成形品を成形する第２曲げ工程と（図６参照）、その二次成形品の一対の側壁部（図６における符号３，４）を互いに内側に向けて押圧することにより、金属プレートの一対の辺同士（図６においては符号５ｃ，５ｄで表される端面同士）を突き合わせるリストライク工程とからなっている。
【０００５】
【発明が解決しようとする課題】
ところで、上記特公平７−３４９３６号公報に記載のパイプ体の製造方法では、ロール成形後に金属プレートの一対の辺同士を溶接する必要があるが、一般にロール成形及び溶接にはコストがかかるほか、溶接時に生じる金属の熱ひずみにより製品の精度が劣化するという問題がある。
【０００６】
一方、特開平１１−２９０９４０号公報に記載のパイプ体の製造方法では、溶接を伴わずプレス成形のみによってパイプ体を製造することができるが、このように製造されたパイプ体については金属プレートの一対の辺同士の接合部に隙間が目立つことが多く、その一対の辺同士が密着したパイプ体を量産時にばらつきなく安定して製造することは難しい。
【０００７】
本発明は、上記の事情に鑑みて為されたもので、金属プレートをプレス成形により加工して溶接することなくパイプ体を製造する場合であっても、量産時にばらつきなく安定して隙間の目立たないパイプ体を製造することのできるパイプ体の製造技術を提供することを課題としている。
【０００８】
【課題を解決するための手段】
上記課題を解決するため、請求項１の発明は、互いに平行な一対の辺を有する金属プレートを該一対の辺と平行な直線に沿って複数箇所で折り曲げるとともに該一対の辺同士を接合させることにより断面が四角形の一辺が形成されるパイプ体を製造するパイプ体の製造方法であって、
前記接合部が形成される辺と隣接する辺に対応する面に内側に向かって凸となるように凸部を設け、該凸部に生じるスプリングバック力によって前記一対の辺同士を密着させることを特徴とするパイプ体の製造方法。
請求項２の発明は、請求項１に記載のパイプ体の製造方法において、前記凸部を前記接合部が形成される辺と対向する辺に対応する面の近くに設けることを特徴とするパイプ体の製造方法。
請求項３の発明は、互いに平行な一対の辺を有する金属プレートを該一対の辺と平行な直線に沿って複数箇所で折り曲げるとともに該一対の辺同士を接合させることにより断面が四角形の一辺が形成されるパイプ体を製造するパイプ体の製造方法であって、前記接合部が形成される辺と対向する辺に対応する面に内側に向かって凸となるように凸部を設け、該凸部に生じるスプリングバック力によって前記一対の辺同士を密着させることを特徴とする。
請求項４の発明は、互いに平行な一対の辺を有する金属プレートを該一対の辺と平行な直線に沿って複数箇所で折り曲げるとともに該一対の辺同士を接合させることにより断面が三角、五角形、六角形、八角形のうちのいずれかの角形の一辺が形成されるパイプ体を製造するパイプ体の製造方法であって、
前記接合部が形成される辺以外のいずれかの辺に対応する面に内側に向かって凸となるように凸部を設け、該凸部に生じるスプリングバック力によって前記一対の辺同士を密着させることを特徴とする。
請求項５の発明は、請求項１乃至請求項４のいずれか１項に記載のパイプ体の製造方法において、前記金属プレートを前記直線に沿って前記多角形の各頂点の角度に合わせて折り曲げるとともに、前記接合部が形成される辺以外のいずれかの辺に対応する面を前記多角形の内側に向かって凸となるように湾曲させて中間成形品を成形し、
該中間成形品の湾曲した面以外の面であって前記接合部が形成される辺以外の辺に対応する面に外力を加えることにより、前記湾曲した面の湾曲を取り除きつつ前記一対の辺同士を接合させるとともに前記凸部を形成することを特徴とする。
請求項６の発明は、請求項５に記載のパイプ体の製造方法において、
前記金属プレートを前記多角形のいくつかの頂点の角度に合わせて折り曲げ断面凹状とし、前記金属プレートを加圧する内部加圧パンチ部材をその凹状の内部に進入させ、該内部加圧パンチ部材により前記湾曲した面を形成するとともに前記金属プレートを前記多角形の残余の頂点の角度に合わせて折り曲げ、前記一対の辺同士の間を通して前記内部加圧パンチ部材を引き抜くことにより前記中間成形品を成形することを特徴とする。
請求項７の発明は、互いに平行な一対の辺を有する金属プレートを該一対の辺と平行な直線に沿って複数箇所で折り曲げるとともに該一対の辺同士を接合させることにより、断面が四角形の一辺が形成されるパイプ体を製造するパイプ体の製造装置であって、
前記接合部が形成される辺と隣接する辺に対応する面に該多角形の内側に向かって凸となるように凸部を形成する凸部形成手段を備え、前記凸部に生じるスプリングバック力によって前記一対の辺同士を密着させることを特徴とする。
請求項８の発明は、請求項７に記載のパイプ体の製造装置において、前記凸部形成手段は前記凸部を前記接合部が形成される辺と対向する辺に対応する面の近くに形成することを特徴とする。
請求項９の発明は、互いに平行な一対の辺を有する金属プレートを該一対の辺と平行な直線に沿って複数箇所で折り曲げるとともに該一対の辺同士を接合させることにより、断面が四角形の一辺が形成されるパイプ体を製造するパイプ体の製造装置であって、
前記接合部が形成される辺と対向する辺に対応する面に該多角形の内側に向かって凸となるように凸部を形成する凸部形成手段を備え、前記凸部に生じるスプリングバック力によって前記一対の辺同士を密着させることを特徴とする。
請求項１０の発明は、互いに平行な一対の辺を有する金属プレートを該一対の辺と平行な直線に沿って複数箇所で折り曲げるとともに該一対の辺同士を接合させることにより断面が三角形、五角形、六角形、八角形のうちのいずれかの角形の一辺が形成されるパイプ体を製造するパイプ体の製造装置であって、
前記接合部が形成される辺以外のいずれかの辺に対応する面に内側に向かって凸となるように凸部を設ける凸部形成手段を備え、該凸部に生じるスプリングバック力によって前記一対の辺同士を密着させることを特徴とする。
請求項１１の発明は、請求項７乃至請求項１０のいずれか１項に記載のパイプ体の製造装置において、
前記金属プレートを前記直線に沿って前記多角形の各頂点の角度に合わせて折り曲げるとともに前記接合部が形成される辺以外のいずれかの辺に対応する面を前記多角形の内側に向かって凸となるように湾曲させてなる中間成形品がセットされる加工装置本体と、該加工装置本体にセットされた前記中間成形品の湾曲した面以外の面であって前記接合部が形成される辺以外の辺に対応する面に外力を加えるパンチ部材とを備え、前記凸部形成手段は前記パンチ部材に設けられ、該パンチ部材は前記湾曲した面の湾曲を取り除きつつ前記一対の辺同士を接合させるとともに、前記凸部形成手段により前記外力を加える面に前記凸部を形成することを特徴とする。
請求項１２の発明は、互いに平行な一対の辺を有する金属プレートを該一対の辺と平行な直線に沿って複数箇所で折り曲げるとともに、該一対の辺同士を接合させることにより製造された断面が四角形の一辺が形成されたパイプ体であって、
前記接合部が形成される辺と隣接する辺に対応する面に内側に向かって凸となるように凸部が設けられ、該凸部に生じるスプリングバック力によって前記一対の辺同士が密着していることを特徴とする。
請求項１３の発明は、請求項１２に記載のパイプ体であって、前記凸部が前記接合部が形成された辺と対向する辺に対応する面の近くに設けられていることを特徴とする。
請求項１４の発明は、互いに平行な一対の辺を有する金属プレートを該一対の辺と平行な直線に沿って複数箇所で折り曲げるとともに、該一対の辺同士を接合させることにより製造された断面が四角形の一辺が形成されたパイプ体であって、
前記接合部が形成される辺と対向する辺に対応する面に内側に向かって凸となるように凸部が設けられ、該凸部に生じるスプリングバック力によって前記一対の辺同士が密着していることを特徴とする。
請求項１５の発明は、互いに平行な一対の辺を有する金属プレートを該一対の辺と平行な直線に沿って複数箇所で折り曲げるとともに該一対の辺同士を接合させることにより断面が三角、五角形、六角形、八角形のうちのいずれかの角形の一辺が形成されたパイプ体であって、
前記接合部が形成される辺以外のいずれかの辺に対応する面に内側に向かって凸となるように凸部を設けられ、該凸部に生じるスプリングバック力によって前記一対の辺同士が密着していることを特徴とする。
請求項１６の発明は、請求項１２ないし請求項１５のいずれか１項に記載のパイプ体を有する画像形成装置である。
【００２９】
上記請求項１、請求項３、請求項４、請求項７、請求項９、請求項１０、請求項１２、請求項１４、請求項１５の発明によれば、凸部の変形が弾性的に回復する際に生じるスプリングバック力によって金属プレートの一対の辺同士を密着させることになるので、金属プレートをプレス成形により加工して溶接することなくパイプ体を製造する場合であっても、量産時にばらつきなく安定して隙間の目立たないパイプ体を製造することができる。
【００３０】
また、請求項１乃至請求項４、請求項７乃至請求項１０、請求項１２乃至請求項１５のいずれかの発明によれば、金属プレートの一対の辺の接合部が多角形の一辺上に形成される際に、この接合部が形成される辺と異なる辺に対応する面に凸部を設けることになるので、例えば凸部を多角形の外側から加圧して形成する場合に、その加圧力の影響により一対の辺同士がずれて接合に支障をきたす等の事態を防止することができる。とりわけ請求項２、請求項８又は請求項１３の発明によれば、断面が四角形のパイプ体について、接合部が形成される辺と隣接する辺に対応する面上であって、その接合部が形成される辺と対向する辺に対応する面の近くに凸部を設けることになるので、凸部に生じるスプリングバック力により金属プレートの一対の辺同士を効率的に密着させることができるという効果も得られる。
【００３１】
さらに、請求項５、請求項６又は請求項１１の発明によれば、多角形の内側に向かって凸となるように湾曲した面を有して一対の辺同士が離間した状態にある中間成形品を成形し、その湾曲した面の湾曲を取り除きつつ一対の辺同士を接合させるように外力を加えてパイプ体を製造することになるので、製造されたパイプ体の各面の平坦性を、事後的に大幅な修正加工を施すことなく容易に確保することができる。
【００３４】
【発明の実施の形態】
本発明の実施の形態を図面に基づいて説明する。
【００３５】
［断面が四角形状のパイプ体の製造］
図１は断面が長方形状のパイプ体の概略構成を示す斜視図であり、図２はそのパイプ体の断面形状を示す正面図である。このパイプ体１は、図２に示す長方形の各辺に対応する四つの面（構成壁部）として、底壁部２、底壁部２に隣接する一対の側壁部３，４、及び底壁部２に対向する上壁部５を有している。
【００３６】
側壁部３，４にはそれぞれパイプ体１の内側に向かって凸となるように凸部３ａ，４ａが複数形成されている。上壁部５は一対の合わせ目構成壁部５ａ，５ｂがそれぞれの端面５ｃ，５ｄで互いに密着してなり、上壁部５の中央には合わせ目（接合部）５ｅが形成されている。側壁部３，４に形成された凸部３ａ，４ａは、その合わせ目５ｅ及びパイプ体１の軸線を通る中心線Ｏ１に対して左右対称をなしている。
【００３７】
このパイプ体１は、図３に示す互いに平行な一対の辺６ｅ，６ｅを有する矩形状の金属プレート６を素材として、プレス加工により成形される。金属プレート６にはあらかじめネジ穴６ａ，６ａが適宜箇所に形成され、このネジ穴６ａ，６ａは、パイプ体１を後述のフレームとして用いる際に取付用の係合部（パイプ体１に他のパイプ体等を取り付ける場合に、又はパイプ体１を他の部材に取り付ける場合に用いられる係合部）として使用される。なお、このような係合部としてネジ穴６ａ，６ａの代わりに切欠き等が形成されていてもよい。
【００３８】
そのプレス加工においては、まず、第１加工ステップとして、一対の辺６ｅ，６ｅと同方向に延びる折曲げ線６ｃ，６ｃに沿って、金属プレート６の辺部６ｂ，６ｂを直角（９０°）に折り曲げ起立させる。これにより、その辺部６ｂ，６ｂが一対の合わせ目構成壁部５ａ，５ｂをなし、図４に示す断面凹状の一次中間成形品８が成形される。なお、図４において符号９は未折曲げ部、符号６ｄ，６ｄは後に未折曲げ部９を折り曲げる際の基準となる折曲げ線であり、金属プレート６の寸法、折曲げ線６ｃ及び折曲げ線６ｄの位置は、プレス加工による金属の伸び量を考慮して決定されている。
【００３９】
この一次中間成形品８のプレス加工には、例えば図５に示すプレス装置１０を使用する。プレス装置１０は第一固定プレート１１と第一加圧パンチ部材１２と可動プレート１２’とから概略構成され、第一固定プレート１１には一次中間成形品８の外形状（合わせ目構成壁部５ａ，５ｂの外形状）に対応する形状の周壁１１ａに囲まれてなる凹所１３が設けられている。また、第一加圧パンチ部材１２は一次中間成形品８の内形状に対応する形状を有し、凹所１３に対して図示を略す油圧シリンダ装置により上下動するようになっている。可動プレート１２’は第一加圧パンチ部材１２の上下動に伴い第一固定プレート１１の周壁１１ａに対して摺動するように、図示を略す他の油圧シリンダ装置に接続されている。
【００４０】
その第一加圧パンチ部材１２及び可動プレート１２’が上方に位置する状態で固定プレート１１よりもＨだけ高い位置にある可動プレート１２’上に金属プレート６を載置し（図５（ａ））、第一加圧パンチ部材１２を下降させてこれと可動プレート１２’とで金属プレート６を挟持し加圧することにより、一次中間成形品８が成形される（図５（ｂ））。
【００４１】
次いで、第２加工ステップとして、一対の辺６ｅ，６ｅと同方向に延びる折曲げ線６ｄ，６ｄに沿って一次中間成形品８の未折曲げ部９を直角に折り曲げるとともに、その折曲げ線６ｄ，６ｄに挟まれる部分を上方に向かって凸となるように湾曲させ、合わせ目構成壁部５ａ，５ｂ以外の残余の構成壁部である底壁部２と側壁部３，４とを形成する。これにより、図６、図７に示すように、中間成形品としての二次中間成形品１４が成形される。
【００４２】
この二次中間成形品１４のプレス加工には、例えば図８に示すプレス装置１７を使用する。プレス装置１７は、凹所１８を有する第二固定プレート１９と、内部加圧パンチ部材としての第二加圧パンチ部材２０と、可動プレート２０’とから概略構成されている。凹所１８は二次中間成形品１４の外形状（側壁部３，４の外形状）に対応する形状の周壁１９ａに囲まれてなる。第二加圧パンチ部材２０は凹所１８に対して図示を略す油圧シリンダ装置により上下動し、その下部には二次中間成形品１４の底壁部２の内形状と側壁部３，４の下部内形状とに対応する形状のパンチ部２０ａが設けられている。可動プレート２０’は第二加圧パンチ部材２０の上下動に伴い第二固定プレート１９に対して摺動するように、図示を略す他の油圧シリンダ装置に接続されている。この可動プレート２０’の上面２０ａ’は、二次中間成形品１４の底壁部２の外形状と対応する形状に仕上げられている。
【００４３】
その第二加圧パンチ部材２０及び可動プレート２０’が上方に位置する状態で固定プレート１９よりもＨ’だけ高い位置にある可動プレート２０’上に一次中間成形品８を載置し（図８（ａ））、第二加圧パンチ部材２０を下降させて一次中間成形品８の凹状内部に進入させ、第二加圧パンチ部材２０のパンチ部２０ａ及び可動プレート２０’の上面２０ａ’により未折曲げ部９を挟持し加圧することによって、二次中間成形品１４が成形される（図８（ｂ））。この二次中間成形品１４のプレス装置１７からの取外しは、第二加圧パンチ部材２０を上昇させて加圧状態を解除した後に、二次中間成形品１４を長手方向（図８における紙面垂直方向）に引き抜くことによって行う。但し、例えば図９に示すように底壁部２の湾曲を大きくした場合や、図１０に示すように底壁部２に対する側壁部３，４の長さの割合が大きい場合には、第二加圧パンチ部材２０を上昇させるだけでこれを一対の辺６ｅ，６ｅの間を通して引き抜くことができる。これにより、二次中間成形品１４を長手方向に引き抜くという作業工程を省くことができ、成形作業の効率化、作業スペースの狭小化を図ることができる。
【００４４】
なお、図１１に示すプレス装置を使用することによって、図１２に示す底壁部２が平坦な（湾曲していない）二次中間成形品を成形してもよいが、このとき底壁部２と側壁部３，４とのなす角度θ１は鈍角となり、これは後述の第三加圧パンチ部材により直角とする必要がある。また、パイプ体１が完成したときの底壁部２の平坦性を考慮すると、あるいは、二次中間成形品１４のプレス装置１７からの取外しが第二加圧パンチ部材２０を上昇させるだけで済むことを考慮すると、底壁部２は図６、図７に示すように湾曲していることが好ましい。但し、図６、図７では湾曲状態にある底壁部２は中央の平坦部２ｂとその両側の湾曲部２ｃ，２ｃと平坦部２ａ，２ａとからなっているが（図６（ｂ）参照）、湾曲の態様はこれに限られるものではない。
【００４５】
次に、その二次中間成形品１４を完成品としてのパイプ体１に成形するために、図１３に示すプレス成形装置（加工装置本体）２１を使用する。このプレス成形装置２１は下型（固定型）２２と上型（可動型）２３とから概略構成され、下型２２は第三固定プレート２４を有し、上型２３は図示を略すシリンダ装置により上下動する可動プレート２５を有している。
【００４６】
第三固定プレート２４には一対のストッパー部材２６，２６と、パンチ部材としての第三加圧パンチ部材２７，２７とが設けられている。この一対の第三加圧パンチ部材２７，２７は図１３中左右方向に延びる図示を略す摺動レール上にスライド可能に設けられ、図示を略すカム機構により互いに接近する方向又は離反する方向に連動して移動するようになっている。また、同図に示すように下型２２と上型２３とが分離している状態では、第三加圧パンチ部材２７，２７は図示を略すスプリング部材によって互いに離反する方向に付勢されている。
【００４７】
第三加圧パンチ部材２７，２７の互いに相対向する面には、二次中間成形品１４の側壁部３，４を加圧するパンチ面２７ｂ，２７ｂがそれぞれ形成されている。各パンチ面２７ｂには、凸部形成手段としての突起部２７ｃが長手方向（図１３における紙面垂直方向）に複数並んで設けられている。
【００４８】
可動プレート２５には、第三加圧パンチ部材２７，２７を駆動するための駆動部材２９，２９が設けられるとともに、一対の合わせ目構成壁部５ａ，５ｂを加圧するための第四加圧パンチ部材３０が設けられている。駆動部材２９，２９の下部内側にはテーパー部２９ａ，２９ａが形成され、第三加圧パンチ部材２７，２７の上部外側にはテーパー部２９ａ，２９ａと係合するテーパー部２７ａ，２７ａが形成されている。
【００４９】
二次中間成形品１４は、第３加工ステップとして、まず、底壁部２が下向きとなるように第三加圧パンチ部材２７，２７の対向空間２８にセットされる（図１３）。この状態から矢印Ａ１で示すように上型２３を下降させると、駆動部材２９，２９のテーパー部２９ａ，２９ａが第三加圧パンチ部材２７，２７のテーパー部２７ａ，２７ａに係合し、第三加圧パンチ部材２７，２７が上記スプリング部材の付勢力に抗して互いに接近する方向に駆動される（図１４）。これにより、第三加圧パンチ部材２７，２７のパンチ面２７ｂ，２７ｂが側壁部３，４と合わせ目構成壁部５ａ，５ｂとの境をなす屈曲部３１ａ，３１ｂに当接し、側壁部３，４がそのパンチ面２７ｂ，２７ｂにより加えられる外力によって互いに接近する方向に加圧される。
【００５０】
第三加圧パンチ部材２７，２７が互いに接近する方向にさらに駆動されると、底壁部２の湾曲が取り除かれつつ端面５ｃ，５ｄが接近して最終的には密着し、上壁部５が形成される（図１５）。また、このとき、突起部２７ｃにより側壁部３，４の底壁部２に近い場所（少なくとも、側壁部３，４の高さ方向中央よりも下側の箇所）には凸部３ａ，４ａが形成される。
【００５１】
続いて、第４加工ステップとして上型２３をさらに下降させると、第三加圧パンチ部材２７，２７のテーパー部２７ａ，２７ａと駆動部材２９，２９のテーパー部２９ａ，２９ａとの係合が解除され、第三加圧パンチ部材２７，２７がその位置に停止する。この状態で（すなわち、側壁部３，４に対する加圧力を維持した状態で）上型２３を下降させると、第四加圧パンチ部材３０が上壁部５に当接して上壁部５が加圧される（図１６）。この第四加圧パンチ部材３０の加圧によって、上壁部５及び底壁部２をより確実に平坦化することができるが、この第４加工ステップは必ずしも必須ではない。
【００５２】
そして、上型２３を上昇させて下型２２と分離させると、第三加圧パンチ部材２７，２７が再度互いに離反する方向に移動して、完成したパイプ体１を得る。
【００５３】
図１７はこのようにして製造されたパイプ体の説明図、図１８は比較のために示す凸部を有しないパイプ体の説明図である。この図１８に示すパイプ体１’は、第３加工ステップにおいて凸部を形成しなかった点以外は図１７に示すパイプ体１と同様に製造され、そのパイプ体１’のパイプ体１と対応する部分にはパイプ体１と同じ符号を付している。
【００５４】
一般に、プレス加工（曲げ加工）により工作物に変形を与えるとスプリングバック（その加工力を除去した後に工作物の有する弾性によって変形が多少元に戻る現象）が生じるため、パイプ体１及びパイプ体１’の各底壁部２はそのスプリングバックに伴い発生する応力（スプリングバック力）によって図１８に鎖線で示すように湾曲面に戻ろうとする傾向がある。すなわち、第三加圧パンチ部材２７，２７による外力が取り除かれた後、合わせ目構成壁部５ａ，５ｂの端面５ｃ，５ｄは互いに離れる傾向にあるため、同図に示すパイプ体１’において溶接等を行うことなくその端面５ｃ，５ｄ間の隙間を確実に防止することは困難である。
【００５５】
一方、本実施の形態に係る方法により製造された図１７に示すパイプ体１には凸部３ａ，４ａが形成され、この凸部３ａ，４ａの箇所には同図に示すようにスプリングバック力ｆ１が生じるため、このスプリングバック力ｆ１が底壁部２に生じるスプリングバック力を相殺し、あるいはそれ以上の大きさをもって合わせ目５ｅを閉じるように作用することにより、溶接等を行うことなく端面５ｃ，５ｄを密着させて隙間を防止することができる。具体的には、底壁部２に生じるスプリングバック力のみによって端面５ｃ，５ｄ間が開く量をδ１とし（図１９（ａ）参照）、スプリングバック力ｆ１のみによって端面５ｃ，５ｄ間が閉じる量をδ２とすると（但し、端面５ｃ，５ｄは互いに干渉せずに自由に移動し得るものとする。図１９（ｂ）参照）、δ１≦δ２となるときに端面５ｃ，５ｄは密着する。
【００５６】
また、その凸部３ａ，４ａを底壁部２の近く、つまり合わせ目５ｅから遠い側に設けているので、図２０に示すように合わせ目構成壁部５の近く、つまり合わせ目５ｅから近い側に設けるよりも効率的に端面５ｃ，５ｄ間が閉じる方向の力を作用させることができる。さらに、凸部３ａ，４ａは合わせ目５ｅに対して左右対称位置にあるので、その端面５ｃ，５ｄ間が閉じる方向の力をバランスよく作用させることができる。
【００５７】
この実施の形態に係るパイプ体の製造装置は、従来から使用されている汎用のプレス機に突出部２７ｃ，２７ｃを設けるだけで構成することができるので、既存の設備を有効に利用し設備投資を抑制しつつ製品の精度向上を図ることができる。なお、そのパイプ体の製造装置のプレス成形装置２１では、合わせ目構成壁部５ａ，５ｂからなる上壁部５とは異なる面（側壁部３，４）に凸部を形成するので、この凸部形成のための加圧力の影響により合わせ目構成壁部５ａ，５ｂがずれて上壁部５がうまく形成されない等の事態は防止される。
【００５８】
以上の例では、上壁部５の中央に合わせ目５ｅを形成することとしたが、図２１に示すように、断面の一頂点近傍である上壁部５と側壁部３との境界付近に合わせ目５ｅを形成してもよい。また、凸部を側壁部３，４に設けるのではなく、底壁部２に設けることとしてもよい。このような場合には、例えば図２２に示すように、第三加圧パンチ部材２７，２７ではなく固定プレート２２に突起部を設け（突起部２２ａ）、第四加圧パンチ部材３０で上方から加圧する際に底壁部２の中央に凸部２ａを形成すればよい。さらに、複数の凸部３ａ，４ａを図１に示すように点状に設けるのではなく、より少ない数（一つでもよい。）の線状の凸部をパイプ体１の長手方向に沿って設けてもかまわない。
【００５９】
［断面が他の多角形状のパイプ体の製造］
図２３は断面が三角形状のパイプ体の製造方法を、図２４は断面が五角形状のパイプ体の製造方法を、図２５は断面が六角形状のパイプ体の製造方法を、図２６は断面が八角形状のパイプ体の製造方法をそれぞれ示す。これら各図において、（ａ）は二次中間成形品をプレス成形装置にセットした状態を、（ｂ）は第三加圧パンチ部材により加圧して凸部を形成している状態を、（ｃ）は完成した多角形状のパイプ体を示し、図中の各符号は上記断面四角形（長方形）状のパイプ体の製造における各要素と対応している。すなわち、１はパイプ体、２は二次中間成形品１４の段階で湾曲している面、３，４は凸部３ａ，４ａが形成される面、５ａ，５ｂは合わせ目構成壁部、５ｃ，５ｄは端面、５は合わせ目５ｅを有する面、２４は第三固定プレート、２７は第三加圧パンチ部材、２７ｃは突起部をそれぞれ示し、また、５’はパイプ体の２，３，４，５で表される面以外の他の面を示している。各パイプ体１は凸部３ａ，４ａ、合わせ目５ｅを含めて左右対称であり、その凸部３ａ，４ａに生じるスプリングバック力によって端面５ｃ，５ｄが密着している。
【００６０】
［製造されたパイプ体の使用例］
上記のように製造されたパイプ体１は、例えば図２７（ａ）、（ｂ）に示すように、画像形成装置としてのファックス兼用複写機のフレーム（支持部材）に用いられる。すなわち、パイプ体１には載置フレーム３９が取り付けられてフレームとしての片持ち式フレーム体３８が構成され、その載置フレーム３９には図示を略すスキャナーユニット等が載置される。このように片持ち式フレーム体３８にパイプ体１を用いることにより、複写機のフレームを低コストかつ高品質、高精度に製造することができる。
【００６１】
【発明の効果】
以上説明したように、請求項１、請求項３、請求項４、請求項９、請求項１０、請求項１２、請求項１４、請求項１５の発明によれば、凸部の変形が弾性的に回復する際に生じるスプリングバック力によって金属プレートの一対の辺同士を密着させることになるので、金属プレートをプレス成形により加工して溶接することなくパイプ体を製造する場合であっても、量産時にばらつきなく安定して隙間の目立たないパイプ体を製造することができる。
【００６２】
また、請求項１乃至請求項４、請求項７乃至請求項１０、請求項１２乃至請求項１５のいずれかの発明によれば、金属プレートの一対の辺の接合部が多角形の一辺上に形成される際に、この接合部が形成される辺と異なる辺に対応する面に凸部を設けることになるので、例えば凸部を多角形の外側から加圧して形成する場合に、その加圧力の影響により一対の辺同士がずれて接合に支障をきたす等の事態を防止することができる。とりわけ請求項２、請求項８又は請求項１３の発明によれば、断面が四角形のパイプ体について、接合部が形成される辺と隣接する辺に対応する面上であって、その接合部が形成される辺と対向する辺に対応する面の近くに凸部を設けることになるので、凸部に生じるスプリングバック力により金属プレートの一対の辺同士を効率的に密着させることができるという効果も得られる。
【００６３】
さらに、請求項５、請求項６又は請求項１１の発明によれば、多角形の内側に向かって凸となるように湾曲した面を有して一対の辺同士が離間した状態にある中間成形品を成形し、その湾曲した面の湾曲を取り除きつつ一対の辺同士を接合させるように外力を加えてパイプ体を製造することになるので、製造されたパイプ体の各面の平坦性を、事後的に大幅な修正加工を施すことなく容易に確保することができる。
また、請求項１６に記載の発明によれば、低コストかつ高品質、高精度のフレームを有する画像形成装置を提供できる。
【図面の簡単な説明】
【図１】本発明に係るパイプ体を示す斜視図である。
【図２】図１のパイプ体を示す正面図である。
【図３】図１、図２のパイプ体の製造に用いる金属プレートを示す平面図である。
【図４】一次中間成形品を示す正面図である。
【図５】図４の一次中間成形品の成形に用いるプレス装置を示し、（ａ）は金属プレートを可動プレートに載置した状態の説明図、（ｂ）はその金属プレートを加圧した状態の説明図である。
【図６】二次中間成形品を示す正面図であり、（ａ）はその全体図、（ｂ）は部分拡大図である。
【図７】図６の二次中間成形品を示す斜視図である。
【図８】図６、図７の二次中間成形品の成形に用いるプレス装置を示し、（ａ）は一次中間成形品を可動プレートに載置した状態の説明図、（ｂ）はその一次中間成形品を加圧した状態の説明図である。
【図９】二次中間成形品及びその成形に用いるプレス装置の他の例を示す説明図である。
【図１０】本発明に係るパイプ体の他の例を示す正面図である。
【図１１】二次中間成形品の成形に用いるプレス装置のさらに他の例を示す説明図である。
【図１２】図１１のプレス装置により成形された二次中間成形品を示す正面図である。
【図１３】図６、図７の二次中間成形品をプレス成形装置にセットした状態を示す説明図である。
【図１４】プレス成形装置にセットした二次中間成形品の屈曲部に第三加圧パンチ部材が当接した状態を示す説明図である。
【図１５】プレス成形装置において第三加圧パンチ部材の駆動が完了した状態を示す説明図である。
【図１６】プレス成形装置において第四加圧パンチ部材が上壁部を加圧した状態を示す説明図である。
【図１７】図１、図２のパイプ体に生じるスプリングバックを説明するための模式図である。
【図１８】凸部を有しないパイプ体に生じるスプリングバックを説明するための模式図である。
【図１９】図１７のパイプ体についてスプリングバック力の影響を分離して、かつ、強調して示し、（ａ）は底壁部に生じるスプリングバック力の影響を示す模式図、（ｂ）は凸部に生じるスプリングバック力の影響を示す模式図である。
【図２０】上壁部の近くに凸部を有するパイプ体に生じるスプリングバックを説明するための模式図である。
【図２１】本発明に係るパイプ体のさらに他の例を示す正面図である。
【図２２】凸部を底壁部に形成する場合のパイプ体の製造例を示す説明図である。
【図２３】断面が三角形のパイプ体の製造方法を示し、（ａ）は二次中間成形品をプレス成形装置にセットした状態を、（ｂ）は第三加圧パンチ部材により加圧して凸部を形成している状態を、（ｃ）は完成したパイプ体を示す説明図である。
【図２４】断面が五角形のパイプ体の製造方法を示し、（ａ）は二次中間成形品をプレス成形装置にセットした状態を、（ｂ）は第三加圧パンチ部材により加圧して凸部を形成している状態を、（ｃ）は完成したパイプ体を示す説明図である。
【図２５】断面が六角形のパイプ体の製造方法を示し、（ａ）は二次中間成形品をプレス成形装置にセットした状態を、（ｂ）は第三加圧パンチ部材により加圧して凸部を形成している状態を、（ｃ）は完成したパイプ体を示す説明図である。
【図２６】断面が八角形のパイプ体の製造方法を示し、（ａ）は二次中間成形品をプレス成形装置にセットした状態を、（ｂ）は第三加圧パンチ部材により加圧して凸部を形成している状態を、（ｃ）は完成したパイプ体を示す説明図である。
【図２７】本発明に係る複写機のフレームを示し、（ａ）はその斜視図、（ｂ）は側面図である。
【符号の説明】
１      パイプ体
２      底壁部（接合部が形成される辺と対向する辺に対応する面）
３，４  側壁部（接合部が形成される辺と隣接する辺に対応する面）
３ａ，４ａ  凸部
５      上壁部（接合部が形成される辺に対応する面）
５ｅ    合わせ目（接合部）
６      金属プレート
６ｃ，６ｄ  折曲げ線（直線）
６ｅ，６ｅ  一対の辺
８      一次中間成形品
１４    二次中間成形品（中間成形品）
２１    プレス成形装置（加工装置本体）
２７    第三加圧パンチ部材（パンチ部材）
２７ｃ  突起部（凸部形成手段）
３０    第四加圧パンチ部材（内部加圧パンチ部材）
３８    片持ち式フレーム体（フレーム）
ｆ１    スプリングバック力
【図１】
0003850196.tif 000002
【図２】
0003850196.tif 000003
【図３】
0003850196.tif 000004
【図４】
0003850196.tif 000005
【図５】
0003850196.tif 000006
【図６】
0003850196.tif 000007
【図７】
0003850196.tif 000008
【図８】
0003850196.tif 000009
【図９】
0003850196.tif 000010
【図１０】
0003850196.tif 000011
【図１１】
0003850196.tif 000012
【図１２】
0003850196.tif 000013
【図１３】
0003850196.tif 000014
【図１４】
0003850196.tif 000015
【図１５】
0003850196.tif 000016
【図１６】
0003850196.tif 000017
【図１７】
0003850196.tif 000018
【図１８】
0003850196.tif 000019
【図１９】
0003850196.tif 000020
【図２０】
0003850196.tif 000021
【図２１】
0003850196.tif 000022
【図２２】
0003850196.tif 000023
【図２３】
0003850196.tif 000024
【図２４】
0003850196.tif 000025
【図２５】
0003850196.tif 000026
【図２６】
0003850196.tif 000027
【図２７】
0003850196.tif 000028